(57)【要約】  ユーザ及び金融機関のみで、容易且つ安全確実に口座開設を行うことができる口座開設方法を提供する。本発明の口座開設方法は、金融機関に口座開設の申込を行なう際に提出する本人確認書類をデジタルデータで作成し、本人確認書類のデジタルデータは、金融機関のサーバより提供される口座開設用のＷｅｂコンテンツを介して、又は電子メールで金融機関のサーバに送信される。【特許請求の範囲】
【請求項１】
金融機関に口座を開設する口座開設方法であって、
携帯端末において、口座開設用のＷｅｂコンテンツの提供する口座開設専用の携帯電話用アプリケーションソフトウェアをダウンロードするステップと、
当該携帯端末において、ダウンロードされた前記携帯電話用アプリケーションソフトウェアによって、申込者により入力された、少なくとも氏名、住所および生年月日を含む本人確認情報を、ネットワークを介して接続された金融機関のサーバに送信するステップと、
前記金融機関のサーバにおいて、前記本人確認情報を、当該本人確認情報を特定するための登録番号と関連付けて、申込情報データベースに記憶するステップと、
前記携帯端末において、前記登録番号を獲得するステップと、
前記携帯端末において、前記携帯電話用アプリケーションソフトウェアによって、当該携帯端末に搭載されたカメラにて撮影された本人確認書類のデジタルデータを、前記登録番号とともに前記金融機関のサーバに送信するステップと、
前記金融機関のサーバにおいて、前記本人確認書類のデジタルデータに基づくテキストデータを、前記登録番号と関連付けて、前記申込情報データベースに記憶するステップと、
前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備えたことを特徴とする口座開設方法。
【請求項２】
金融機関に口座を開設する口座開設方法であって、
ＰＣ端末において、前記金融機関のサーバから提供された口座開設用のＷｅｂコンテンツに、申込者により入力された少なくとも氏名、住所および生年月日を含む本人確認情報を受け付けるステップと、
前記金融機関のサーバにおいて、前記Ｗｅｂコンテンツに入力された本人確認情報を、当該本人確認情報を特定するための登録番号と関連付けて、申込情報データベースに記憶するステップと、
前記金融機関のサーバにおいて、前記本人確認情報または前記登録番号を含む申込者特定情報と、口座開設専用の携帯電話用アプリケーションソフトウェアのダウンロード用ＷｅｂページのＵＲＬ（Uniform resource locator）情報とを含む情報コードである２次元コードを生成し、前記ＰＣ端末にＷｅｂコンテンツとして提供するステップと、
前記２次元コードが読み取られた携帯端末において、前記申込者特定情報などのユーザ情報を引き継いだアプリケーションソフトウェアをダウンロードするステップと、
前記携帯端末において、ダウンロードされたアプリケーションソフトウェアにより、当該携帯端末に搭載されたカメラにより撮影された本人確認書類のデジタルデータを、前記申込者特定情報とともに前記金融機関のサーバに送信するステップと、
前記金融機関のサーバにおいて、前記本人確認書類のデジタルデータに基づくテキストデータを、前記申込者特定情報により特定される登録番号と関連付けて、前記申込情報データベースに記憶するステップと、
前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備えたことを特徴とする口座開設方法。
【請求項３】
金融機関に口座を開設する口座開設方法であって、
携帯端末において、前記金融機関のサーバから提供された口座開設用のＷｅｂコンテンツに、申込者により入力された少なくとも氏名、住所および生年月日を含む本人確認情報を受け付けるステップと、
前記金融機関のサーバにおいて、前記Ｗｅｂコンテンツに入力された本人確認情報を、当該本人確認情報を特定するための登録番号と関連付けて、申込情報データベースに記憶するステップと、
前記金融機関のサーバにおいて、前記本人確認情報または前記登録番号と関連付けられた、申込者特定情報および口座開設専用の携帯電話用アプリケーションソフトウェアのダウンロード用ＷｅｂページのＵＲＬ（Uniform resource locator）情報を含むＷｅｂページを生成し、前記生成されたＷｅｂページを前記携帯端末に提供するステップと、
前記携帯端末における前記ＵＲＬの指定によって、前記携帯端末において、前記申込者特定情報を引き継いだアプリケーションソフトウェアをダウンロードするステップと、
前記携帯端末において、ダウンロードされたアプリケーションソフトウェアにより、当該携帯端末に搭載されたカメラにより撮影された本人確認書類のデジタルデータを、前記申込者特定情報とともに前記金融機関のサーバに送信するステップと、
前記金融機関のサーバにおいて、前記本人確認書類のデジタルデータに基づくテキストデータを、前記申込者特定情報により特定される登録番号と関連付けて、前記申込情報データベースに記憶するステップと、
前記金融機関のサーバにおいて、前記登録番号と関連付けられた前記本人確認書類のデジタルデータに基づくテキストデータと、当該登録番号と関連付けられた前記本人確認情報との照合の後に、前記本人確認情報を、新規の口座情報として、口座データベースに記憶するステップと、を備えたことを特徴とする口座開設方法。
【請求項４】
前記携帯端末において本人確認書類のデジタルデータを前記金融機関のサーバに送信するステップにおいて、前記本人確認書類の種別を示す情報が、前記金融機関のサーバに送信され、
前記金融機関のサーバに基づいて、前記本人確認書類の種別を示す情報に基づいて、前記本人確認書類のデジタルデータに基づくテキストデータが生成され、当該テキストデータと、前記本人確認情報とが照合されることを特徴とする請求項１ないし３の何れか一項に記載の口座開設方法。
【請求項５】
金融機関に口座を開設する口座開設方法であって、
携帯端末において、口座開設用のＷｅｂコンテンツの提供する口座開設専用の携帯電話用アプリケーションソフトウェアをダウンロードするステップと、
当該携帯端末において、ダウンロードされた前記携帯電話用アプリケーションソフトウェアによって、申込者により入力された、少なくとも氏名、住所および生年月日を含む本人確認情報を、ネットワークを介して接続された金融機関のサーバに送信するステップと、
前記金融機関のサーバにおいて、前記本人確認情報を、当該本人確認情報を特定するための登録番号と関連付けて、申込情報データベースに記憶するステップと、
前記携帯端末において、前記登録番号を獲得するステップと、
前記携帯端末において、前記携帯電話用アプリケーションソフトウェアによって、当該携帯端末に搭載されたカメラにて撮影された本人確認書類のデジタルデータから、当該本人確認書類のデジタルデータに基づくテキストデータを生成するステップと、
前記携帯端末において、前記携帯用アプリケーションソフトウェアによって、本人確認書類のデジタルデータに基づくテキストデータを、前記登録番号とともに前記金融機関のサーバに送信するステップと、
前記金融機関のサーバにおいて、前記本人確認書類のデジタルデータに基づくテキストデータを、前記登録番号と関連付けて、前記申込情報データベースに記憶するステップと、
前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備えたことを特徴とする口座開設方法。
【請求項６】
金融機関に口座を開設する口座開設方法であって、
ＰＣ端末において、前記金融機関のサーバから提供された口座開設用のＷｅｂコンテンツに、申込者により入力された少なくとも氏名、住所および生年月日を含む本人確認情報を受け付けるステップと、
前記金融機関のサーバにおいて、前記Ｗｅｂコンテンツに入力された本人確認情報を、当該本人確認情報を特定するための登録番号と関連付けて、申込情報データベースに記憶するステップと、
前記金融機関のサーバにおいて、前記本人確認情報または前記登録番号を含む申込者特定情報と、口座開設専用の携帯電話用アプリケーションソフトウェアのダウンロード用ＷｅｂページのＵＲＬ（Uniform resource locator）情報とを含む情報コードである２次元コードを生成し、前記ＰＣ端末にＷｅｂコンテンツとして提供するステップと、
前記２次元コードが読み取られた携帯端末において、前記申込者特定情報などのユーザ情報を引き継いだアプリケーションソフトウェアをダウンロードするステップと、
前記携帯端末において、ダウンロードされたアプリケーションソフトウェアにより、当該携帯端末に搭載されたカメラにより撮影された本人確認書類のデジタルデータから、当該本人確認書類のデジタルデータに基づくテキストデータを生成するステップと、
前記携帯端末において、前記携帯用アプリケーションソフトウェアによって、本人確認書類のデジタルデータに基づくテキストデータを、前記登録番号とともに前記金融機関のサーバに送信するステップと、
前記金融機関のサーバにおいて、前記本人確認書類のデジタルデータに基づくテキストデータを、前記申込者特定情報により特定される登録番号と関連付けて、前記申込情報データベースに記憶するステップと、
前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備えたことを特徴とする口座開設方法。
【請求項７】
金融機関に口座を開設する口座開設方法であって、
携帯端末において、前記金融機関のサーバから提供された口座開設用のＷｅｂコンテンツに、申込者により入力された少なくとも氏名、住所および生年月日を含む本人確認情報を受け付けるステップと、
前記金融機関のサーバにおいて、前記Ｗｅｂコンテンツに入力された本人確認情報を、当該本人確認情報を特定するための登録番号と関連付けて、申込情報データベースに記憶するステップと、
前記金融機関のサーバにおいて、前記本人確認情報または前記登録番号と関連付けられた、申込者特定情報および口座開設専用の携帯電話用アプリケーションソフトウェアのダウンロード用ＷｅｂページのＵＲＬ（Uniform resource locator）情報を含むＷｅｂページを生成し、前記生成されたＷｅｂページを前記携帯端末に提供するステップと、
前記携帯端末における前記ＵＲＬの指定によって、前記携帯端末において、前記申込者特定情報を引き継いだアプリケーションソフトウェアをダウンロードするステップと、
前記携帯端末において、ダウンロードされたアプリケーションソフトウェアにより、当該携帯端末に搭載されたカメラにより撮影された本人確認書類のデジタルデータから、当該本人確認書類のデジタルデータに基づくテキストデータを生成するステップと、
前記携帯端末において、前記携帯用アプリケーションソフトウェアによって、本人確認書類のデジタルデータに基づくテキストデータを、前記登録番号とともに前記金融機関のサーバに送信するステップと、
前記金融機関のサーバにおいて、前記本人確認書類のデジタルデータに基づくテキストデータを、前記申込者特定情報により特定される登録番号と関連付けて、前記申込情報データベースに記憶するステップと、
前記金融機関のサーバにおいて、前記登録番号と関連付けられた前記本人確認書類のデジタルデータに基づくテキストデータと、当該登録番号と関連付けられた前記本人確認情報との照合の後に、前記本人確認情報を、新規の口座情報として、口座データベースに記憶するステップと、を備えたことを特徴とする口座開設方法。
【請求項８】
金融機関に口座を開設する口座開設方法であって、
ＰＣ端末又は携帯電話において、金融機関に口座開設の申込を行なう際に提出する本人確認書類をデジタルデータで作成し、
前記本人確認書類のデジタルデータは、前記金融機関のサーバより提供される口座開設用のＷｅｂコンテンツ又はネットワークを介して、又は電子メールで前記金融機関のサーバに送信される、
ことを特徴とする口座開設方法。
【請求項９】
前記本人確認書類のデジタルデータは、携帯電話に搭載されたカメラで作成され、当該携帯電話から、前記金融機関のサーバより提供される口座開設用のＷｅｂコンテンツ又はネットワークを介して、又は電子メールで前記金融機関のサーバに送信される、
ことを特徴とする請求項８に記載の口座開設方法。
【請求項１０】
前記口座開設用のＷｅｂコンテンツを提供する前記口座開設用のＷｅｂサイトへのアクセスは、リンク元であるＷｅｂページのハイパーリンクにより、又は、情報コードである２次元コードの読み取り機能が搭載された携帯電話において前記２次元コードの読み取りにより行われ、前記ハイパーリンク情報は、前記ＷｅｂサイトのＵＲＬ（Uniform resource locator）情報及び前記リンク元から前記Ｗｅｂサイトへ引き継がれるユーザ情報を含み、前記２次元コードは、前記ＷｅｂサイトのＵＲＬ（Uniform resource locator）情報及び前記Ｗｅｂサイトへ引き継がれるユーザ情報を含む、
ことを特徴とする請求項８又は９に記載の口座開設方法。
【請求項１１】
前記携帯電話において、前記口座開設用のＷｅｂコンテンツの提供する口座開設専用の携帯電話用アプリケーションソフトウェアの実行により、前記金融機関への口座開設の申込、前記本人確認書類のデジタルデータの作成、及び前記デジタルデータの前記金融機関のサーバへの送信を一貫して連続的に行う、
ことを特徴とする請求項９又は１０に記載の口座開設方法。
【請求項１２】
前記口座開設専用の携帯電話用アプリケーションソフトウェアの実行は、前記携帯電話において、前記アプリケーションソフトウェアのダウンロード用釦を含むＷｅｂページへリンクし、前記Ｗｅｂページ上のダウンロード用釦を選択することにより、前記Ｗｅｂページを介して、前記アプリケーションソフトウェアを前記携帯電話へダウンロードし、前記アプリケーションソフトウェアが起動されることにより行う、
ことを特徴とする請求項１１記載の口座開設方法。
【請求項１３】
前記ＰＣ端末から前記金融機関のサーバに本人確認情報を前記口座開設用のＷｅｂコンテンツを介して入力することにより前記金融機関に口座開設の申込を行ない、前記入力完了による当該口座開設の申込完了時点で、前記ＰＣ端末において前記本人確認情報などの申込者特定情報及び口座開設専用の携帯電話用アプリケーションソフトウェアのダウンロード用ＷｅｂページのＵＲＬ（Uniform resource locator）情報を含む情報コードである２次元コードを表示し、前記２次元コードの読み取り機能が搭載された携帯電話において、当該２次元コードの読み取りにより、前記申込者特定情報などのユーザ情報を引き継いで前記Ｗｅｂページへリンクされ、前記Ｗｅｂページ上のダウンロード用釦を選択することにより、前記Ｗｅｂページを介して、前記ユーザ情報を引き継いで前記アプリケーションソフトウェアを前記携帯電話へダウンロードし、前記アプリケーションソフトウェアが起動され、前記金融機関への口座開設の申込に続く、前記本人確認書類のデジタルデータの作成、及び前記デジタルデータの前記金融機関のサーバへの送信の一連のステップを継続して行う、
ことを特徴とする請求項９又は１０記載の口座開設方法。
【請求項１４】
前記携帯電話から前記金融機関のサーバに本人確認情報を前記口座開設用のＷｅｂコンテンツを介して入力することにより前記金融機関に口座開設の申込を行ない、前記入力完了による当該口座開設の申込完了時点で、前記携帯電話において、前記本人確認書類送付方法の選択用釦を含むＷｅｂページ上でデジタルデータ送付釦を選択し、前記当該釦のハイパーリンク情報に含まれる、前記本人確認情報などの申込者特定情報及び前記口座開設専用の携帯電話用アプリケーションソフトウェアのダウンロード用ＷｅｂページのＵＲＬ（Uniform resource locator）情報により、前記申込者特定情報などのユーザ情報を引き継いで前記ダウンロード用Ｗｅｂページへリンクされ、前記ダウンロード用Ｗｅｂページ上のダウンロード用釦を選択することにより、前記ダウンロード用Ｗｅｂページを介して、前記ユーザ情報を引き継いで前記アプリケーションソフトウェアを前記携帯電話へダウンロードし、前記アプリケーションソフトウェアが起動され、前記金融機関への口座開設の申込に続く、前記本人確認書類のデジタルデータの作成、及び前記デジタルデータの前記金融機関のサーバへの送信の一連のステップを継続して行う、
ことを特徴とする請求項９又は１０に記載の口座開設方法。
【請求項１５】
前記金融機関のサーバにおいて、受信した前記本人確認書類のデジタルデータからテキストデータへの変換結果により判読不能とされた場合、再度本人確認書類のデジタルデータの作成、送信を促す通知を、ネットワークを介して、又は電子メールで前記本人確認書類のデジタルデータの送信元に自動的に送信し、前記ＰＣ端末又は前記携帯電話において、前記口座開設用のＷｅｂコンテンツ又は前記口座開設専用の携帯電話用アプリケーションソフトウェアを介して、又は電子メールを通してユーザに対し通知する、
ことを特徴とする請求項８から１４何れか記載の口座開設方法。
【請求項１６】
前記金融機関のサーバにおいて、受信した前記本人確認書類のデジタルデータである画像情報からテキストデータへの変換は、ＯＣＲソフトウェアの実行によって自動的に行われる、
ことを特徴とする請求項１５記載の口座開設方法。
【請求項１７】
前記金融機関のサーバに送信される前記本人確認書類のデジタルデータは、撮像サイズなどを最適化されて送信される、
ことを特徴とする請求項８から１６何れか記載の口座開設方法。
【発明の詳細な説明】
【技術分野】
【０００１】
本発明は、インターネットなどのコンピュータネットワーク上で決済処理を行う電子決済システム、電子決済方法及びプログラムに関する。特には、電子決済システムにおいて手間やコストを掛けずに、安全且つ確実に新規口座を開設することができる口座開設方法に関する。
【背景技術】
【０００２】
近年において、インターネットのような自由なネットワーク環境を背景に、ＷＷＷ（Ｗｏｒｌｄ  Ｗｉｄｅ  Ｗｅｂ）などのマルチメディア環境が整備されてきた。特に、最近では、このインターネットを利用して特定のサービスを行うインターネットビジネス（ｅビジネス）といわれるものが多く提案され運営されている。【０００３】
このインターネットビジネス（ｅビジネス）においては、ネットワーク上で様々なサービスが存在し、これらのサービスに対する決済処理もネットワーク上で行うことができるようになっている。【０００４】
また、ネットワーク上で提供される商品やサービスの支払い等に利用されるネットバンキング（電子銀行）も運営され、更に、一般の銀行においてもネットワークを利用した様々なサービスが提供されている。【０００５】
このような銀行などの金融機関での新規の口座開設時には、必ず本人を確認するための本人確認書類（運転免許証の写し、住民票、健康保険証の写し、パスポートの写し等）の提出が義務付けられており、金融機関ではこれらの本人確認書類の内容を精査し、当該書類に記載されている住所・本人宛に取引関連書類（キャッシュカード等）を送付している。【０００６】
この本人確認書類の提出は、一般的には、紙に印刷された運転免許証の写し、住民票、健康保険証の写し、パスポートの写し等を直接金融機関に送付又は持参して行なわれている。【０００７】
また、特願２００１−３１１６４０号公報には、ユーザの口座申込時にユーザ端末から送信されるユーザの氏名、住所、契約者番号などの申込情報を取得し、事業者の事業者システムから送信されるユーザの氏名、住所、契約者番号などの契約情報を取得し、申込情報と契約情報とを比較し、両情報が一致した場合にユーザの本人確認が成功したものと判断し、ユーザに対して新規口座を自動的に開設するものが記載されている。【０００８】
これにより、ユーザにとって口座開設の申し込み手続に要する労力を軽減することができ、また、銀行などの金融機関にとって口座開設の処理にかかる手間や時間を少なくすることができる。【０００９】
【特許文献１】特願２００１−３１１６４０号公報
【発明の開示】
【発明が解決しようとする課題】
【００１０】
しかしながら、上述したような口座開設方法によれば、一般的な方法では、本人確認書類の提出は、一般的には、紙に印刷された運転免許証の写し、住民票、健康保険証の写し、パスポートの写し等を直接金融機関に送付又は持参して行なわなければならず、手間や時間がかかるという問題があった。また、本人確認書類は、運転免許証等の原本をコピーして用いられるため、記載文字や本人の顔写真等が不鮮明になる場合があった。更に、本人確認書類は紙でのみ保存されるため、その保存や管理に手間がかかり、本人確認書類の劣化が生じるという問題があった。【００１１】
また、特願２００１−３１１６４０号公報の方法では、ユーザの情報を有する事業者のシステムが、ユーザ端末及び金融機関システムと同一のネットワーク上に個人情報閲覧可能に接続されている必要があり、ユーザと金融機関以外の事業体の介在が必ず必要となり、更に、事業者側へセキュリティ上の負担をかけることにもなる。【００１２】
従って、本発明の目的は、ユーザ及び金融機関のみで、容易且つ安全確実に口座開設を行うことができる口座開設方法を提供することである。
【課題を解決するための手段】
【００１３】
本発明の目的は、金融機関に口座を開設する口座開設方法であって、携帯端末において、口座開設用のＷｅｂコンテンツの提供する口座開設専用の携帯電話用アプリケーションソフトウェアをダウンロードするステップと、当該携帯端末において、ダウンロードされた前記携帯電話用アプリケーションソフトウェアによって、申込者により入力された、少なくとも氏名、住所および生年月日を含む本人確認情報を、ネットワークを介して接続された金融機関のサーバに送信するステップと、前記金融機関のサーバにおいて、前記本人確認情報を、当該本人確認情報を特定するための登録番号と関連付けて、申込情報データベースに記憶するステップと、前記携帯端末において、前記登録番号を獲得するステップと、前記携帯端末において、前記携帯電話用アプリケーションソフトウェアによって、当該携帯端末に搭載されたカメラにて撮影された本人確認書類のデジタルデータを、前記登録番号とともに前記金融機関のサーバに送信するステップと、前記金融機関のサーバにおいて、前記本人確認書類のデジタルデータに基づくテキストデータを、前記登録番号と関連付けて、前記申込情報データベースに記憶するステップと、前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備えたことを特徴とする口座開設方法により達成される。【００１４】
また、本発明の目的は、金融機関に口座を開設する口座開設方法であって、ＰＣ端末において、前記金融機関のサーバから提供された口座開設用のＷｅｂコンテンツに、申込者により入力された少なくとも氏名、住所および生年月日を含む本人確認情報を受け付けるステップと、前記金融機関のサーバにおいて、前記Ｗｅｂコンテンツに入力された本人確認情報を、当該本人確認情報を特定するための登録番号と関連付けて、申込情報データベースに記憶するステップと、前記金融機関のサーバにおいて、前記本人確認情報または前記登録番号を含む申込者特定情報と、口座開設専用の携帯電話用アプリケーションソフトウェアのダウンロード用ＷｅｂページのＵＲＬ（Uniform resource locator）情報とを含む情報コードである２次元コードを生成し、前記ＰＣ端末にＷｅｂコンテンツとして提供するステップと、前記２次元コードが読み取られた携帯端末において、前記申込者特定情報などのユーザ情報を引き継いだアプリケーションソフトウェアをダウンロードするステップと、前記携帯端末において、ダウンロードされたアプリケーションソフトウェアにより、当該携帯端末に搭載されたカメラにより撮影された本人確認書類のデジタルデータを、前記申込者特定情報とともに前記金融機関のサーバに送信するステップと、前記金融機関のサーバにおいて、前記本人確認書類のデジタルデータに基づくテキストデータを、前記申込者特定情報により特定される登録番号と関連付けて、前記申込情報データベースに記憶するステップと、前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備えたことを特徴とする口座開設方法によっても達成される。【００１５】
また、本発明の目的は、金融機関に口座を開設する口座開設方法であって、携帯端末において、前記金融機関のサーバから提供された口座開設用のＷｅｂコンテンツに、申込者により入力された少なくとも氏名、住所および生年月日を含む本人確認情報を受け付けるステップと、前記金融機関のサーバにおいて、前記Ｗｅｂコンテンツに入力された本人確認情報を、当該本人確認情報を特定するための登録番号と関連付けて、申込情報データベースに記憶するステップと、前記金融機関のサーバにおいて、前記本人確認情報または前記登録番号を含む申込者特定情報と関連付けられた、口座開設専用の携帯電話用アプリケーションソフトウェアのダウンロード用ＷｅｂページのＵＲＬ（Uniform resource locator）情報を含むＷｅｂページを生成し、前記生成されたＷｅｂページを前記携帯端末に提供するステップと、前記携帯端末における前記ＵＲＬの指定によって、前記携帯端末において、前記申込者特定情報を引き継いだアプリケーションソフトウェアをダウンロードするステップと、前記携帯端末において、ダウンロードされたアプリケーションソフトウェアにより、当該携帯端末に搭載されたカメラにより撮影された本人確認書類のデジタルデータを、前記申込者特定情報とともに前記金融機関のサーバに送信するステップと、前記金融機関のサーバにおいて、前記本人確認書類のデジタルデータに基づくテキストデータを、前記申込者特定情報により特定される登録番号と関連付けて、前記申込情報データベースに記憶するステップと、前記金融機関のサーバにおいて、前記登録番号と関連付けられた前記本人確認書類のデジタルデータに基づくテキストデータと、当該登録番号と関連付けられた前記本人確認情報との照合の後に、前記本人確認情報を、新規の口座情報として、口座データベースに記憶するステップと、を備えたことを特徴とする口座開設方法によっても達成される。
好ましい実施態様においては、前記携帯端末において本人確認書類のデジタルデータを前記金融機関のサーバに送信するステップにおいて、前記本人確認書類の種別を示す情報が、前記金融機関のサーバに送信され、前記金融機関のサーバに基づいて、前記本人確認書類の種別を示す情報に基づいて、前記本人確認書類のデジタルデータに基づくテキストデータが生成され、当該テキストデータと、前記本人確認情報とが照合される。【００１６】
別の実施態様において、金融機関に口座を開設する口座開設方法は、携帯端末において、口座開設用のＷｅｂコンテンツの提供する口座開設専用の携帯電話用アプリケーションソフトウェアをダウンロードするステップと、当該携帯端末において、ダウンロードされた前記携帯電話用アプリケーションソフトウェアによって、申込者により入力された、少なくとも氏名、住所および生年月日を含む本人確認情報を、ネットワークを介して接続された金融機関のサーバに送信するステップと、前記金融機関のサーバにおいて、前記本人確認情報を、当該本人確認情報を特定するための登録番号と関連付けて、申込情報データベースに記憶するステップと、前記携帯端末において、前記登録番号を獲得するステップと、前記携帯端末において、前記携帯電話用アプリケーションソフトウェアによって、当該携帯端末に搭載されたカメラにて撮影された本人確認書類のデジタルデータから、当該本人確認書類のデジタルデータに基づくテキストデータを生成するステップと、前記携帯端末において、前記携帯用アプリケーションソフトウェアによって、本人確認書類のデジタルデータに基づくテキストデータを、前記登録番号とともに前記金融機関のサーバに送信するステップと、前記金融機関のサーバにおいて、前記本人確認書類のデジタルデータに基づくテキストデータを、前記登録番号と関連付けて、前記申込情報データベースに記憶するステップと、前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備える。【００１７】
また、別の実施態様において、金融機関に口座を開設する口座開設方法は、ＰＣ端末において、前記金融機関のサーバから提供された口座開設用のＷｅｂコンテンツに、申込者により入力された少なくとも氏名、住所および生年月日を含む本人確認情報を受け付けるステップと、前記金融機関のサーバにおいて、前記Ｗｅｂコンテンツに入力された本人確認情報を、当該本人確認情報を特定するための登録番号と関連付けて、申込情報データベースに記憶するステップと、前記金融機関のサーバにおいて、前記本人確認情報または前記登録番号を含む申込者特定情報と、口座開設専用の携帯電話用アプリケーションソフトウェアのダウンロード用ＷｅｂページのＵＲＬ（Uniform resource locator）情報とを含む情報コードである２次元コードを生成し、前記ＰＣ端末にＷｅｂコンテンツとして提供するステップと、前記２次元コードが読み取られた携帯端末において、前記申込者特定情報などのユーザ情報を引き継いだアプリケーションソフトウェアをダウンロードするステップと、前記携帯端末において、ダウンロードされたアプリケーションソフトウェアにより、当該携帯端末に搭載されたカメラにより撮影された本人確認書類のデジタルデータから、当該本人確認書類のデジタルデータに基づくテキストデータを生成するステップと、  前記携帯端末において、前記携帯用アプリケーションソフトウェアによって、本人確認書類のデジタルデータに基づくテキストデータを、前記登録番号とともに前記金融機関のサーバに送信するステップと、前記金融機関のサーバにおいて、前記本人確認書類のデジタルデータに基づくテキストデータを、前記申込者特定情報により特定される登録番号と関連付けて、前記申込情報データベースに記憶するステップと、前記金融機関のサーバにおいて、前記登録番号と関連付けられた前記本人確認書類のデジタルデータに基づくテキストデータと、当該登録番号と関連付けられた前記本人確認情報との確認の後に、前記本人確認情報を、新規の口座情報として、口座データベースに記憶するステップと、を備える。【００１８】
さらに別の実施態様において、金融機関に口座を開設する口座開設方法は、携帯端末において、前記金融機関のサーバから提供された口座開設用のＷｅｂコンテンツに、申込者により入力された少なくとも氏名、住所および生年月日を含む本人確認情報を受け付けるステップと、前記金融機関のサーバにおいて、前記Ｗｅｂコンテンツに入力された本人確認情報を、当該本人確認情報を特定するための登録番号と関連付けて、申込情報データベースに記憶するステップと、前記金融機関のサーバにおいて、前記本人確認情報または前記登録番号と関連付けられた、申込者特定情報および口座開設専用の携帯電話用アプリケーションソフトウェアのダウンロード用ＷｅｂページのＵＲＬ（Uniform resource locator）情報を含むＷｅｂページを生成し、前記生成されたＷｅｂページを前記携帯端末に提供するステップと、前記携帯端末における前記ＵＲＬの指定によって、前記携帯端末において、前記申込者特定情報を引き継いだアプリケーションソフトウェアをダウンロードするステップと、前記携帯端末において、ダウンロードされたアプリケーションソフトウェアにより、当該携帯端末に搭載されたカメラにより撮影された本人確認書類のデジタルデータから、当該本人確認書類のデジタルデータに基づくテキストデータを生成するステップと、前記携帯端末において、前記携帯用アプリケーションソフトウェアによって、本人確認書類のデジタルデータに基づくテキストデータを、前記登録番号とともに前記金融機関のサーバに送信するステップと、前記金融機関のサーバにおいて、前記本人確認書類のデジタルデータに基づくテキストデータを、前記申込者特定情報により特定される登録番号と関連付けて、前記申込情報データベースに記憶するステップと、前記金融機関のサーバにおいて、前記登録番号と関連付けられた前記本人確認書類のデジタルデータに基づくテキストデータと、当該登録番号と関連付けられた前記本人確認情報との照合の後に、前記本人確認情報を、新規の口座情報として、口座データベースに記憶するステップと、を備える。【００１９】
また、上記課題を解決するため、本発明の口座開設方法は、ＰＣ端末又は携帯電話において、金融機関に口座開設の申込を行なう際に提出する本人確認書類をデジタルデータで作成し、本人確認書類のデジタルデータは、金融機関のサーバより提供される口座開設用のＷｅｂコンテンツ又はネットワークを介して、又は電子メールで金融機関のサーバに送信される、ことを特徴とする。【００２０】
ここで、本人確認書類のデジタルデータは、携帯電話に搭載されたカメラで作成され、当該携帯電話から、前記金融機関のサーバより提供される口座開設用のＷｅｂコンテンツ又はネットワークを介して、又は電子メールで前記金融機関のサーバに送信される、ようにすることができる。【００２１】
また、口座開設用のＷｅｂコンテンツを提供する口座開設用のＷｅｂサイトへのアクセスは、リンク元であるＷｅｂページのハイパーリンクにより、又は、情報コードである２次元コードの読み取り機能が搭載された携帯電話において２次元コードの読み取りにより行われ、ハイパーリンク情報は、ＷｅｂサイトのＵＲＬ（Uniform resource locator）情報及びリンク元からＷｅｂサイトへ引き継がれるユーザ情報を含み、２次元コードは、ＷｅｂサイトのＵＲＬ（Uniform resource locator）情報及びＷｅｂサイトへ引き継がれるユーザ情報を含む、ようにしてもよい。【００２２】
また、携帯電話において、口座開設用のＷｅｂコンテンツの提供する口座開設専用の携帯電話用アプリケーションソフトウェアの実行により、金融機関への口座開設の申込、前記本人確認書類のデジタルデータの作成、及び前記デジタルデータの前記金融機関のサーバへの送信を一貫して連続的に行う、ようにすることができる。【００２３】
また、口座開設専用の携帯電話用アプリケーションソフトウェアの実行は、携帯電話において、アプリケーションソフトウェアのダウンロード用釦を含むＷｅｂページへリンクし、Ｗｅｂページ上のダウンロード用釦を選択することにより、Ｗｅｂページを介して、アプリケーションソフトウェアを携帯電話へダウンロードし、アプリケーションソフトウェアが起動されることにより行う、ようにしてもよい。【００２４】
また、ＰＣ端末から金融機関のサーバに本人確認情報を口座開設用のＷｅｂコンテンツを介して入力することにより金融機関に口座開設の申込を行ない、入力完了による当該口座開設の申込完了時点で、ＰＣ端末において本人確認情報などの申込者特定情報及び口座開設専用の携帯電話用アプリケーションソフトウェアのダウンロード用ＷｅｂページのＵＲＬ（Uniform resource locator）情報を含む情報コードである２次元コードを表示し、２次元コードの読み取り機能が搭載された携帯電話において、当該２次元コードの読み取りにより、申込者特定情報などのユーザ情報を引き継いでＷｅｂページへリンクされ、Ｗｅｂページ上のダウンロード用釦を選択することにより、Ｗｅｂページを介して、ユーザ情報を引き継いでアプリケーションソフトウェアを携帯電話へダウンロードし、アプリケーションソフトウェアが起動され、金融機関への口座開設の申込に続く、本人確認書類のデジタルデータの作成、及びデジタルデータの金融機関のサーバへの送信の一連のステップを継続して行う、ようにすることができる。【００２５】
また、携帯電話から金融機関のサーバに本人確認情報を口座開設用のＷｅｂコンテンツを介して入力することにより金融機関に口座開設の申込を行ない、入力完了による当該口座開設の申込完了時点で、携帯電話において、本人確認書類送付方法の選択用釦を含むＷｅｂページ上でデジタルデータ送付釦を選択し、当該釦のハイパーリンク情報に含まれる、本人確認情報などの申込者特定情報及び口座開設専用の携帯電話用アプリケーションソフトウェアのダウンロード用ＷｅｂページのＵＲＬ（Uniform resource locator）情報により、申込者特定情報などのユーザ情報を引き継いでダウンロード用Ｗｅｂページへリンクされ、ダウンロード用Ｗｅｂページ上のダウンロード用釦を選択することにより、ダウンロード用Ｗｅｂページを介して、ユーザ情報を引き継いでアプリケーションソフトウェアを携帯電話へダウンロードし、アプリケーションソフトウェアが起動され、金融機関への口座開設の申込に続く、本人確認書類のデジタルデータの作成、及びデジタルデータの金融機関のサーバへの送信の一連のステップを継続して行う、ようにすることもできる。【００２６】
また、金融機関のサーバにおいて、受信した本人確認書類のデジタルデータからテキストデータへの変換結果により判読不能とされた場合、再度本人確認書類のデジタルデータの作成、送信を促す通知を、ネットワークを介して、又は電子メールで前記本人確認書類のデジタルデータの送信元に自動的に送信し、ＰＣ端末又は携帯電話において、口座開設用のＷｅｂコンテンツ又は口座開設専用の携帯電話用アプリケーションソフトウェアを介して、又は電子メールを通してユーザに対し通知する、ようにすることができる。【００２７】
また、金融機関のサーバにおいて、受信した前記本人確認書類のデジタルデータである画像情報からテキストデータへの変換は、ＯＣＲソフトウェアの実行によって自動的に行われる、ようにしてもよい。【００２８】
また、金融機関のサーバに送信される本人確認書類のデジタルデータは、撮像サイズなどを最適化されて送信される、ようにしてもよい。
【発明の効果】
【００２９】
本発明の口座開設方法によれば、本人確認書類をデジタルデータで作成し、ネットワークを介して又は電子メールで前記金融機関のサーバに送信し、送信されたデータのＯＣＲソフトウェア等での判読、口座開設のための確認認証、及び判読エラー、確認認証エラー時の通知などの一連のステップを自動的に行うなど、ユーザ及び金融機関のみで、容易且つ安全確実に口座開設を行うことができる。また、本人確認書類がデジタルデータであるため、その画像が鮮明且つ綺麗で保存中の劣化がなく、容易に偽造することができない等のユーザ及び金融機関双方にとって有利な点がある。【００３０】
また、携帯電話において、口座開設専用の携帯電話用アプリケーションソフトウェアの実行により、金融機関への口座開設の申込、本人確認書類の作成、及び金融機関のサーバへの送信をガイダンスに従い一貫して連続的に行うことができ、また、金融機関のサーバとのアクセスを必要最小限とすることができるなど、より高いセキュリティを確保できるとともに、２次元コードの読み取り機能の活用により、口座開設用のＷｅｂコンテンツへの直接アクセスや、ＰＣ端末で口座開設申込完了後、携帯電話にてその後の口座開設に必要なステップを引き続き実行可能であるなど、より容易で高い利便性をもち且つ安全確実に口座開設を行うことができる。
【発明を実施するための最良の形態】
【００３１】
以下、図面を参照して本発明の口座開設方法の実施の形態を説明する。
図１は、本発明の口座開設方法を実行するシステムの一形態を示す図である。このシステムは、ユーザの口座情報などを有する金融機関の電子銀行サーバ１０と、電子銀行サーバ１０に口座を開設するための本人確認情報及び本人確認書類画像データを送信する通信機器であるカメラ付携帯電話２０及びＰＣ（Ｐｅｒｓｏｎａｌ  Ｃｏｍｐｕｔｅｒ）３０などの端末（以下、単に「端末２０，３０」ともいう）と、ＰＣ３０に接続され本人確認書類をデジタルデータに加工するデジタルカメラ３０Ａ及びスキャナ３０Ｂと、カメラ付携帯電話２０の通信キャリア４０と、ＰＣ３０のプロバイダ５０と、電子銀行サーバ１０、カメラ付携帯電話２０、ＰＣ３０、通信キャリア４０及びプロバイダ５０を通信可能に接続するネットワーク６０と、を備えている。【００３２】
ここで、ネットワーク６０は、インターネットやイントラネットを利用して構築することができる。【００３３】
また、運転免許証、各種健康保険証、パスポート、住民票の写し、印鑑証明書、外国人登録原票記載事項証明書などのいわゆる本人確認法施行規則定める書類の原本または写し（コピー）（以下、単に「本人確認書類」ともいう）７０は、カメラ付携帯電話２０に搭載されたカメラで撮影され、または、デジタルカメラ３０Ａで撮影されたりスキャナ３０Ｂで読み取られたりして作成されたデジタルデータとして、カメラ付携帯電話２０又はＰＣ３０より口座開設用のＷｅｂコンテンツ（又は口座開設専用の携帯電話用アプリケーションソフトウェアの実行による処理の場合（後述する）は単にネットワーク６０）を介して、又は電子メールなどによって電子銀行サーバ１０に送信される。【００３４】
また、カメラ付携帯電話２０に、情報コードである２次元コード（ＱＲコード（登録商標））の読み取り機能が搭載されている場合、金融機関のホームページ等で公開されているＷｅｂコンテンツのＵＲＬ（Uniform resource locator）情報を含む２次元コード８０の読み取りにより、口座開設用のＷｅｂサイトへ直接アクセスを行うことができ、また、ＰＣ３０で口座開設申込完了後（後述する）、ＰＣ３０上にて表示された申込者特定情報（後述する）を含む２次元コード８０の読み取りにより、カメラ付携帯電話２０にてその後の口座開設に必要なステップ（処理）を引き続き実行することができる。【００３５】
図２は、本発明の口座開設方法を実行するシステムを構成する電子銀行サーバ１０の一例を示す図である。【００３６】
電子銀行サーバ１０は、ネットワーク６０と通信可能に接続する通信制御部１１と、口座情報を記憶する口座ＤＢ（Ｄａｔａ  Ｂａｓｅ）１５と、口座ＤＢ１５の口座情報に基づいて決済処理を行う決済処理部１６と、ネットワーク６０を介して、又は電子メールなどによって、端末２０，３０から受信したデジタルデータ（画像情報）をテキストデータに自動的に変換するデータ変換処理部１３と、口座開設用のＷｅｂコンテンツ（口座開設専用の携帯電話用アプリケーションソフトウェアを含む）を記憶するＷｅｂＤＢ１７と、ネットワーク６０を介して端末２０，３０にＷｅｂＤＢ１７に記憶されている本人確認情報を入力させて受信し、本人確認書類のデジタルデータ（画像情報）を作成させ、デジタルデータ（画像情報）を送信させて受信するためのＷｅｂコンテンツ（又は口座開設専用の携帯電話用アプリケーションソフトウェア）を提供し、端末２０，３０からＷｅｂコンテンツ（又は口座開設専用の携帯電話用アプリケーションソフトウェアの実行による処理）を介して入力された本人確認情報を受信し、データ変換処理部１３で変換されたテキストデータと、受信した本人確認情報を比較し、該データと該情報が一致した場合に、新規の口座情報を記憶することによって新規の口座を口座ＤＢ１５に開設する口座開設処理部１２と、口座開設処理部１２で受信した本人確認情報と、データ変換処理部１３で変換されたテキストデータを記憶する申込情報ＤＢ１４と、を備えている。【００３７】
ここで、口座開設処理部１２は、申込情報ＤＢ１４に記憶されているテキストデータと本人確認情報を比較し、該データと該情報が一致した場合に、口座ＤＢ１５に新規の口座を開設する。【００３８】
また、口座開設処理部１２は、新規の口座を開設した場合、開設完了を電子メールで端末２０，３０に通知する。【００３９】
また、データ変換処理部１３は、ＯＣＲソフトウェアの実行によってデジタルデータ（画像情報）をテキストデータに変換する。【００４０】
また、口座開設処理部１２は、データ変換処理部１３において、デジタルデータ（画像情報）からテキストデータへの変換結果により判読不能とされた場合、再度本人確認書類のデジタルデータ（画像情報）の作成、送信を促すエラー通知を、ネットワークを介して、又は電子メールで本人確認書類のデジタルデータの送信元に自動的に送信し、口座開設用のＷｅｂコンテンツ又は口座開設専用の携帯電話用アプリケーションソフトウェアの実行による処理を介して、又は電子メールを通してユーザに対し通知する。【００４１】
また、口座開設処理部１２は、新規口座の開設申込としてＰＣ３０から電子銀行サーバ１０に口座開設用のＷｅｂコンテンツを介して入力される本人確認情報の入力完了による当該口座開設の申込完了時点で、本人確認情報などの申込者特定情報及び口座開設専用の携帯電話用アプリケーションソフトウェアのダウンロード用ＷｅｂページのＵＲＬ（Uniform resource locator）情報を含む情報コードである２次元コード（ＱＲコード（登録商標））８０を口座開設用のＷｅｂコンテンツを介してＰＣ３０に表示する。【００４２】
図３及び図４は、本発明の口座開設方法のフローチャートである。図１〜図４において、ユーザは、新規口座の開設申込を行うため、カメラ付携帯電話２０又はＰＣ３０から口座開設用のＷｅｂコンテンツを提供する電子銀行サーバ１０へアクセスする。（ステップ３０１）。【００４３】
ここで、口座開設用のＷｅｂコンテンツを提供する電子銀行サーバ１０の口座開設用のＷｅｂサイトへのアクセスは、通常のリンクでの誘導（リンク元であるＷｅｂページのハイパーリンクにより誘導）も行われ、ハイパーリンク情報は、ＷｅｂサイトのＵＲＬ（Uniform resource locator）情報のみならず、リンク元から渡されるユーザ情報自体も組み込むことができ、Ｗｅｂサイトへリンク元情報を引き継ぐことができる。【００４４】
また、カメラ付携帯電話２０において、情報コードである２次元コード（ＱＲコード（登録商標））の読み取り機能が搭載されている場合、当該金融機関のホームページ等で公開されている口座開設用のＷｅｂサイトのＵＲＬ（Uniform resource locator）情報のみならず、ユーザ情報も組み込むことができる２次元コード（ＱＲコード（登録商標））８０の読み取りにより、口座開設用のＷｅｂサイトへ直接アクセスを行うことができるとともに、Ｗｅｂサイトへユーザ情報を引き継ぐことができる。【００４５】
ここで、後述する口座開設手順は、ＰＣ３０又はカメラ付携帯電話２０において、口座開設用のＷｅｂサイト（電子銀行サーバ１０）が提供するＷｅｂページの口座開設用のＷｅｂコンテンツを介して、各挙動の都度、電子銀行サーバ１０とやりとりをして行われる通常の口座開設フローとともに、カメラ付携帯電話２０においては、Ｊａｖａ（登録商標）プログラム等の動作可能な機能（例えばｉアプリ（登録商標）対応等）が搭載されている場合、口座開設専用の携帯電話用アプリケーションソフトウェアの実行により、後述する電子銀行サーバ１０への口座開設の申込、本人確認書類７０のデジタルデータ（画像情報）の作成、及び電子銀行サーバ１０への送信をガイダンスに従い一貫して連続的に行うことができる。【００４６】
この場合、カメラ付携帯電話２０において、口座開設用のＷｅｂサイトへアクセスしたメインメニュー画面（Ｗｅｂページ）上の、（又は、メインメニュー画面（Ｗｅｂページ）での選択によりリンクされた口座開設専用の携帯電話用アプリケーションソフトウェアのダウンロード用画面（Ｗｅｂページ）上でもよい）ダウンロード用釦を選択することにより、電子銀行サーバ１０より口座開設用のＷｅｂコンテンツ（当該Ｗｅｂページ）を介して、口座開設専用の携帯電話用アプリケーションソフトウェアをカメラ付携帯電話２０へダウンロードする。（ステップ３０２）。【００４７】
次に、カメラ付携帯電話２０において、ダウンロードされた口座開設専用の携帯電話用アプリケーションソフトウェアが自動的に起動される。（ステップ３０３）。【００４８】
カメラ付携帯電話２０において、再度新規口座の開設申込を行う場合は、ダウンロード済みで保存されている口座開設専用の携帯電話用アプリケーションソフトウェアを呼び出す（起動）ことにより行うことができ、口座開設用のＷｅｂサイトへ最初からアクセスするなどのステップを行う必要はない。【００４９】
また、上述のとおり、カメラ付携帯電話２０において、口座開設専用の携帯電話用アプリケーションソフトウェアの実行により、電子銀行サーバ１０への口座開設の申込、本人確認書類７０のデジタルデータ（画像情報）の作成、及び電子銀行サーバ１０への送信をガイダンスに従い一貫して連続的に行うことができ、その際、口座開設用のＷｅｂコンテンツを介して各挙動の都度、電子銀行サーバ１０とやりとりをして行われる通常の口座開設フローとは異なり、アプリケーションソフトウェア内で処理できるステップにおいては電子銀行サーバ１０とのアクセスを必要とせず、口座開設専用の携帯電話用アプリケーションソフトウェアの実行による処理シーケンスにおいて電子銀行サーバ１０とのアクセスを必要最小限とすることができ、電子銀行サーバ１０の負荷を軽減できるとともに、より高いセキュリティを確保できるなど、電子銀行サーバ１０側の運用面でも有利である。【００５０】
なお、上記ステップ３０２、３０３は、ユーザ端末において口座開設用のＷｅｂコンテンツを介した通常の口座開設フローの場合は該当しない。【００５１】
次に、カメラ付携帯電話２０又はＰＣ３０から電子銀行サーバ１０に本人確認情報（氏名、住所、生年月日など）を口座開設用のＷｅｂコンテンツ又は口座開設専用の携帯電話用アプリケーションソフトウェアの実行による処理を介して入力し、新規口座の開設申込を行う（ステップ３０４）。この入力が完了すると、電子銀行サーバ１０の口座開設処理部１２から登録番号が付与される。口座開設処理部１２は、受け取った本人確認情報（氏名、住所、生年月日など）と登録番号を関連付けて申込情報ＤＢ１４に記憶する。【００５２】
そして、電子銀行サーバ１０は、ユーザの確認のため、本人確認書類の提出を要求する。ユーザは、この要求に応じて、運転免許証、各種健康保険証、パスポート、住民票の写し、印鑑証明書、外国人登録原票記載事項証明書などの本人確認書類７０を準備し、本人確認書類７０のデジタルデータ（画像情報）を作成する（ステップ３０５）。【００５３】
ここで、カメラ付携帯電話２０に搭載されたカメラで運転免許証、住民票、健康保険証、パスポート等を撮影し本人確認書類７０のデジタルデータ（画像情報）を作成ことができる。または、運転免許証、住民票、健康保険証、パスポート等をデジタルカメラ３０Ａで撮影したりスキャナ３０Ｂで読み取ったりして作成することもできる。【００５４】
カメラ付携帯電話２０で作成された本人確認書類７０のデジタルデータ（画像情報）は、当該カメラ付携帯電話２０から口座開設用のＷｅｂコンテンツ（又は口座開設専用の携帯電話用アプリケーションソフトウェアの実行による処理の場合は単にネットワーク６０）を介して、又は電子メールで電子銀行サーバ１０に送信され、また、デジタルカメラ３０Ａやスキャナ３０Ｂで作成された本人確認書類７０のデジタルデータ（画像情報）は、ＰＣ３０に取り込まれ、ＰＣ３０から口座開設用のＷｅｂコンテンツを介して、又は電子メールで金融機関の電子銀行サーバ１０に送信される（ステップ３０６）。【００５５】
なお、送信される本人確認書類７０のデジタルデータ（画像情報）は、必要解像度、撮像サイズ、ファイル容量、通信速度等を考慮して、最適化された状態で送信される。このとき、本人確認書類７０のデジタルデータ（画像情報）は、３０万画素程度の解像度であれば充分である。【００５６】
電子銀行サーバ１０は、本人確認情報（氏名、住所、生年月日、当該書類の有効期限、登録番号等を含む）が記載された本人確認書類７０のデジタルデータ（画像情報）を受信し（ステップ３０７）、データ変換処理部１３は、受信した本人確認書類７０のデジタルデータ（画像情報）を受け取り、氏名、住所、生年月日、当該書類の有効期限、登録番号等を判読し（ステップ３０８）、判読可能であれば、テキストデータに変換し、申込情報ＤＢ１４に記憶する（ステップ３１１）。【００５７】
ここで、本人確認書類７０のデジタルデータ（画像情報）やテキストデータは、登録番号を付して登録管理される。また、本人確認書類７０のデジタルデータ（画像情報）やテキストデータは、金融機関側で画面や紙に出力して確認することができる。なお、データ変換処理部１３は、ＯＣＲソフトウェアの実行によって自動的にデジタルデータ（画像情報）を判読し、テキストデータに変換する。【００５８】
ステップ３０８で、判読不能とされた場合、再度本人確認書類７０のデジタルデータ（画像情報）の作成、送信を促すエラー通知を、ネットワーク６０を介して、又は電子メールで本人確認書類７０のデジタルデータの送信元であるカメラ付携帯電話２０又はＰＣ３０に自動的に送信し、受信したカメラ付携帯電話２０又はＰＣ３０において、口座開設用のＷｅｂコンテンツ又は口座開設専用の携帯電話用アプリケーションソフトウェアの実行による処理を介して、又は電子メールを通してユーザに対し通知し（ステップ３０９）、ユーザが本人確認書類７０のデジタルデータ（画像情報）を再作成する場合には（ステップ３１０）、ステップ３０５からの処理を行なう。【００５９】
次に、口座開設処理部１２は、登録番号に基づいて、本人確認情報と、テキストデータとを比較する確認チェックを行い（ステップ３１２）、該データと該情報が一致し、当該書類の有効期限が承認された場合に、口座ＤＢ１６に新規の口座情報を記憶することによって新規の口座を開設する（ステップ３１５）。【００６０】
そして、口座開設処理部１２は、新規の口座を開設した場合、開設完了の通知を電子メールでカメラ付携帯電話２０又はＰＣ３０に行う（ステップ３１６）。そして、当該本人確認書類７０に記載されている住所・本人宛に取引関連書類（キャッシュカード等）を送付して口座開設の処理を終了する。【００６１】
ステップ３１２で、本人確認ができなかった場合には、エラー通知をネットワーク６０を介して、又は電子メールでカメラ付携帯電話２０又はＰＣ３０に自動的に送信し、受信したカメラ付携帯電話２０又はＰＣ３０において、口座開設用のＷｅｂコンテンツ又は口座開設専用の携帯電話用アプリケーションソフトウェアの実行による処理を介して、又は電子メールを通してユーザに対し通知し、（ステップ３１３）、ユーザが本人確認情報の修正などをする場合には（ステップ３１４）、ステップ３０４からの処理を行なう。【００６２】
なお、上記ステップ３０７〜３１６（但し、ステップ３１０及び３１４を除く）の処理は、本人確認書類のデジタルデータを電子銀行サーバ１０や金融機関システムで自動的に処理して行うことができる。【００６３】
図５は、本発明の口座開設方法の他の一例を示すフローチャートである。
本フローチャートは、ＰＣ３０において新規口座の開設申込を行い、当該口座開設の申込完了後、携帯電話にてその後の口座開設に必要なステップを引き続き実行可能とする口座開設方法を示すものである。【００６４】
図１〜図５において、ユーザは、新規口座の開設申込を行うため、ＰＣ３０から口座開設用のＷｅｂコンテンツを提供する電子銀行サーバ１０へアクセスする。（ステップ５０１（ステップ３０１に同じ））。【００６５】
次に、ＰＣ３０から電子銀行サーバ１０に本人確認情報（氏名、住所、生年月日など）を口座開設用のＷｅｂコンテンツを介して入力し、新規口座の開設申込を行う（ステップ５０２（ステップ３０４に同じ））。この入力が完了すると、電子銀行サーバ１０の口座開設処理部１２から登録番号が付与される。口座開設処理部１２は、受け取った本人確認情報（氏名、住所、生年月日など）と登録番号を関連付けて申込情報ＤＢ１４に記憶する。【００６６】
この時点をもって、ＰＣ３０の口座開設申込み完了とし（ステップ５０３）、電子銀行サーバ１０により本人確認情報などの申込者特定情報及び口座開設専用の携帯電話用アプリケーションソフトウェアのダウンロード用画面（Ｗｅｂページ）のＵＲＬ（Uniform resource locator）情報を含む情報コードである２次元コード（ＱＲコード（登録商標））８０が生成され、口座開設用のＷｅｂコンテンツを介してＰＣ３０に表示する。（ステップ５０４）【００６７】
一方、カメラ付携帯電話２０において、情報コードである２次元コード（ＱＲコード（登録商標））の読み取り機能が搭載されている場合、カメラ付携帯電話２０にてＰＣ３０に表示されている当該２次元コード（ＱＲコード（登録商標））を読み取り（ステップ５０５）、当該２次元コードに含まれる口座開設専用の携帯電話用アプリケーションソフトウェアのダウンロード用画面（Ｗｅｂページ）のＵＲＬ（Uniform resource locator）情報及び本人確認情報などの申込者特定情報（ユーザ情報）を抽出し、ユーザ情報を引き継いで当該画面（Ｗｅｂページ）へリンクされ（ステップ５０６）、当該画面（Ｗｅｂページ）上のダウンロード用釦を選択することにより、電子銀行サーバ１０より当該Ｗｅｂコンテンツ（当該Ｗｅｂページ）を介して、ユーザ情報を引き継いで口座開設専用の携帯電話用アプリケーションソフトウェアを携帯電話へダウンロードし（ステップ５０７）、口座開設専用の携帯電話用アプリケーションソフトウェアが自動的に起動される。（ステップ５０８）【００６８】
カメラ付携帯電話２０において、口座開設専用の携帯電話用アプリケーションソフトウェアは、引き継がれたユーザ情報である口座開設申込みでの本人確認情報などの申込者特定情報に基づき、金融機関への口座開設の申込に続く、ステップ３０５以降の、本人確認書類７０のデジタルデータ（画像情報）の作成、デジタルデータ（画像情報）の電子銀行サーバ１０への送信等の一連のステップを継続して行うことができる。【００６９】
図６は、本発明の口座開設方法の他の一例を示すフローチャートである。
本フローチャートは、カメラ付携帯電話２０において、ＰＣ３０と同様に通常の口座開設フローである、口座開設用のＷｅｂサイト（電子銀行サーバ１０）が提供するＷｅｂページの口座開設用のＷｅｂコンテンツを介して新規口座の開設申込を行い、当該口座開設の申込完了後、口座開設専用の携帯電話用アプリケーションソフトウェアの利用により、その後の口座開設に必要なステップを引き続き実行可能とする口座開設方法を示すものである。【００７０】
ここで、図６において、新規口座の開設申込から口座開設申込み完了までの、ステップ６０１からステップ６０３までは、図５のＰＣ３０によるステップ５０１からステップ５０３の場合と同様にて説明は省略する。【００７１】
口座開設申込み完了（ステップ６０３）後、カメラ付携帯電話２０において、次に表示される本人確認書類送付方法を選択できる選択釦を含む画面（Ｗｅｂページ）上で「デジタルデータ送付」釦を選択し（ステップ６０４）、当該釦のハイパーリンク情報に含まれる、本人確認情報などの申込者特定情報及び口座開設専用の携帯電話用アプリケーションソフトウェアのダウンロード用画面（Ｗｅｂページ）のＵＲＬ（Uniform resource locator）情報により、申込者特定情報などのユーザ情報を引き継いで当該ダウンロード用画面（Ｗｅｂページ）へリンクされ（ステップ６０５）、当該ダウンロード用画面（Ｗｅｂページ）上のダウンロード用釦を選択することにより、口座開設用のＷｅｂコンテンツ（当該ダウンロード用Ｗｅｂページ）を介して、ユーザ情報を引き継いで前記アプリケーションソフトウェアを前記携帯電話へダウンロードし（ステップ６０６）、口座開設専用の携帯電話用アプリケーションソフトウェアが自動的に起動される。（ステップ６０７）。【００７２】
カメラ付携帯電話２０において、図５の場合と同様に、口座開設専用の携帯電話用アプリケーションソフトウェアは、引き継がれたユーザ情報である口座開設申込みでの本人確認情報などの申込者特定情報に基づき、金融機関への口座開設の申込に続く、ステップ３０５以降の、本人確認書類７０のデジタルデータ（画像情報）の作成、デジタルデータ（画像情報）の電子銀行サーバ１０への送信等の一連のステップを継続して行うことができる。【００７３】
これにより、カメラ付携帯電話２０などのモバイルによる口座開設申込みにおいても、口座開設専用の携帯電話用アプリケーションソフトウェアの活用上、最も効果の高いと思われる本人確認書類７０のデジタルデータ（画像情報）の作成、送付だけはアプリケーションソフトウェアの利用とすることもできる。【００７４】
以下、図３および図４を参照して説明した本発明にかかる口座開設方法の一例（「第１の方法」とも称する。）、図５を参照して説明した本発明にかかる口座開設方法の他の一例（「第２の方法」とも称する。）、並びに、図６を参照して説明した本発明にかかる口座開設方法のさらに他の一例について補足する。【００７５】
第１の方法は、
（ａ）携帯電話２０において、口座開設用のＷｅｂコンテンツの提供する口座開設専用の携帯電話用アプリケーションソフトウェアをダウンロードするステップと、
（ｂ）携帯電話２０において、ダウンロードされた前記携帯電話用アプリケーションソフトウェアによって、申込者により入力された、少なくとも氏名、住所および生年月日を含む本人確認情報を、ネットワークを介して接続された電子銀行サーバ１０に送信するステップと、
（ｃ）電子銀行サーバ１０において、本人確認情報を、本人確認情報を特定するための登録番号と関連付けて、申込情報ＤＢ１４に記憶するステップと、
（ｄ）携帯電話２０において、登録番号を獲得するステップと、
（ｅ）携帯電話２０において、携帯電話用アプリケーションソフトウェアによって、携帯電話２０に搭載されたカメラにて撮影された本人確認書類のデジタルデータを、登録番号とともに電子銀行サーバ１０に送信するステップと、
（ｆ）電子銀行サーバ１０において、本人確認書類のデジタルデータを、登録番号と関連付けて、申込情報ＤＢ１４に記憶するステップと、
（ｇ）電子銀行サーバ１０において、登録番号と関連付けられた本人確認書類のデジタルデータに基づくテキストデータと、当該登録番号と関連付けられた本人確認情報との確認の後に、本人確認情報を、新規の口座情報として、口座ＤＢ１５に記憶するステップと、を備える。【００７６】
図７（Ａ）〜（Ｃ）、および、図８（Ａ）〜（Ｃ）は、図３および図４の処理の実行の過程で、携帯電話２０の表示装置の画面上に表示された画像の例を示す図である。【００７７】
図３のステップ３０１において、携帯電話２０の表示装置の画面上には、図７（Ａ）に示す画像７００が表示され、ユーザが「口座開設申込」ボタン７０１をオンすることにより、携帯電話用アプリケーションソフトウェアがダウンロードされ、当該アプリケーションソフトウェアが起動される（上記（ｂ）、図３のステップ３０２、３０３）。また、携帯電話の表示装置の画面上には、図７（Ｂ）に示すように、本人確認情報を入力するための入力画像７１０が表示される。入力画像７１０にあるように、たとえば、本人確認情報には、氏名、生年月日が含まれる。なお、図７（Ｂ）には示していないが、引き続いて携帯電話２０の表示装置の画面上に表示される画像には、住所の入力欄が含まれる。【００７８】
ユーザにより入力された、氏名、住所および生年月日を含む本人確認情報は、電子銀行サーバ１０に送信される（上記（ｃ）および図３のステップ３０４）。たとえば、携帯電話２０の表示装置の画面上に、図７（Ｃ）に示すように、ユーザが入力した本人確認情報を表示して、ユーザの確認を求めるのが望ましい。ユーザによる確認（および所定の携帯電話２０の操作）により、電子銀行サーバ１０の口座開設処理部１２は、本人確認情報と登録番号とを関連付けて、申込情報ＤＢ１４に記憶する（上記（ｃ）および図３のステップ３０４）。ここで、登録番号は、携帯電話２０に通知される。図８（Ａ）は、電子銀行サーバ１０における口座開設申込に応じて、携帯電話２０の表示装置の画面上に表示された登録番号を含む画像の例を示す図である。【００７９】
本人確認書類のデジタルデータを作成する際には、図８（Ｂ）に示すように、ユーザに本人確認書類の種別を選択させる。たとえば、図８（Ｂ）の画像８１０においては、本人確認書類の種別として、運転免許証、裏面記載ありの運転免許証、カード型健康保険証を例示しているが、他の種別（他の健康保険証、パスポート、住民票）の選択も可能である。ユーザにより選択された本人確認書類の種別は、カメラにより撮影された本人確認書類のデジタルデータとともに、電子サーバ１０に送信される。【００８０】
ユーザは携帯電話２０に搭載されたカメラを操作して、本人確認書類を撮影し、本人確認書類のデジタルデータを作成する（図３のステップ３０５）。図８（Ｃ）は、携帯電話２０のカメラで、本人確認書類を撮影した例を示す画像である。図８（Ｃ）に示す例では、本人確認書類として運転免許証が選択され、画像８２０には撮影された運転免許証が含まれる（符号８２１参照）。【００８１】
ユーザの操作により、本人確認書類のデジタルデータは、登録番号および本人確認書類の種別とともに、電子銀行サーバ１０に送信される（上記（ｅ）および図３のステップ３０７）。【００８２】
電子銀行サーバ１０は、受信したデジタルデータを、ＯＣＲを利用して判読してテキストデータを得る（図３のステップ３０８、３１１）。電子銀行サーバ１０は、携帯電話２０に本人確認書類のデジタルデータとともに送信された本人確認書類の種別に基づいて、文字認識をすべき領域を特定する。たとえば、運転免許証においては、最上部の左欄が氏名欄、右欄が生年月日欄、また、最上部から３つめの欄が住所欄となっている。したがって、電子銀行サーバ１０のデータ変換処理部１３は、たとえば、予め用意した運転免許証の文字を認識すべき領域の情報を含むテンプレートに基づいて、所定の領域を文字認識してテキストデータを取得する。他の種別の本人確認書類についても同様に、本人確認書類ごとに用意されたテンプレートに基づいて、データ変換処理部１３が、テンプレートが示す領域を文字認識してテキストデータを取得すればよい。【００８３】
取得されたテキストデータは、登録番号と関連付けられて、申込情報ＤＢ１４に記憶される（上記（ｆ）、図３のステップ３１１）。【００８４】
口座開設処理部１２は、本人確認書類のデジタルデータとともに送信された登録番号に基づいて、申込情報ＤＢ１４から、当該登録番号に関連付けられている本人確認情報を読み出し、本人確認情報と、データ変換部処理部１３が取得した本人確認書類のデジタルデータに基づくテキストデータとを照合する（図３のステップ３１２）。ここでは、申込情報ＤＢ１４に記憶された本人確認情報の各項目（氏名、住所、生年月日など）の値と、テキストデータ中の対応する項目の値とが、それぞれ比較される。全ての項目の値が一致すれば、新規の口座情報として、本人確認情報が口座ＤＢ１５に記憶される（上記（ｇ）、図３のステップ３１５）。口座ＤＢ１５に口座情報として本人確認情報が記憶されることにより、新規の口座が開設される。【００８５】
次に、図５に示される第２の方法について補足する。第２の方法は、
（ｈ）ＰＣ３０において、電子銀行サーバ１０から提供された口座開設用のＷｅｂコンテンツに、申込者により入力された少なくとも氏名、住所および生年月日を含む本人確認情報を受け付けるステップと、
（ｉ）電子銀行サーバ１０において、Ｗｅｂコンテンツに入力された本人確認情報を、本人確認情報を特定するための登録番号と関連付けて、申込情報ＤＢ１４に記憶するステップと、
（ｊ）電子銀行サーバ１０において、本人確認情報または登録番号を含む申込者特定情報と、口座開設専用の携帯電話用アプリケーションソフトウェアのダウンロード用ＷｅｂページのＵＲＬ（Uniform resource locator）情報とを含む情報コードである２次元コードを生成し、ＰＣ３０にＷｅｂコンテンツとして提供するステップと、
（ｋ）２次元コードが読み取られた携帯電話２０において、申込者特定情報などのユーザ情報を引き継いだアプリケーションソフトウェアをダウンロードするステップと、
（e’）携帯電話２０において、ダウンロードされたアプリケーションソフトウェアにより、携帯電話２０に搭載されたカメラにより撮影された本人確認書類のデジタルデータを、申込者特定情報とともに電子銀行サーバ１０に送信するステップと、
（f’）電子銀行サーバ１０において、本人確認書類のデジタルデータに基づくテキストデータを、申込者特定情報により特定される登録番号と関連付けて、申込情報ＤＢ１４に記憶するステップと、
（g’）電子銀行サーバ１０において、登録番号と関連付けられた本人確認書類のデジタルデータに基づくテキストデータと、登録番号と関連付けられた本人確認情報との確認の後に、本人確認情報を、新規の口座情報として、口座データベースに記憶するステップと、を備える。【００８６】
第２の方法では、ユーザはＰＣ３０の表示装置の画面上に表示される口座開設用のＷｅｂコンテンツにおいて、氏名、住所および生年月日を含む本人確認情報を入力する（上記（ｈ）、図５のステップ５０１、５０２）。このＰＣ３０の表示装置の画面上に表示されるＷｅｂページは、図７（Ｂ）に示す画像のような入力欄を有する。したがって、ユーザは、ＰＣ３０を操作して、各入力欄に必要な情報を入力すればよい。【００８７】
電子銀行サーバ１０が、本人確認情報と登録番号とを関連付けて申込情報ＤＢ１４に記憶することでＰＣ３０における口座開設申込は完了する（上記（ｉ）、図５のステップ５０３）。電子銀行サーバ１０は、口座開設専用の携帯電話用アプリケーションソフトウェアのダウンロード用ＷｅｂページのＵＲＬ（Uniform resource locator）と、申込者特定情報とを含む２次元コードを、Ｗｅｂコンテンツを介してＰＣ３０の表示装置の画面上に表示する。なお、申込者特定情報は、本人確認情報であっても良いし、登録番号であっても良い（上記（ｊ）、図５のステップ５０４）。【００８８】
携帯電話２０が２次元コードを読み取ることにより、上記ダウンロード用ＷｅｂページのＵＲＬおよび申込者特定情報が抽出され、携帯電話２０は、ＵＲＬが示すＷｅｂコンテンツを介して、口座開設専用の携帯電話用アプリケーションソフトウェアをダウンロードすることができる（上記（ｋ）、図５のステップ５０６、５０７）。したがって、これ以降の処理（上記（e’）、（ｆ’）、（ｇ’））は、第１の方法の（ｅ）、（ｆ）、（ｇ）と同様となる。【００８９】
第３の方法は、
（ｌ）携帯電話２０、電子銀行サーバ１０から提供された口座開設用のＷｅｂコンテンツに、申込者により入力された少なくとも氏名、住所および生年月日を含む本人確認情報を受け付けるステップと、
（ｍ）電子銀行サーバ１０において、Ｗｅｂコンテンツに入力された本人確認情報を、本人確認情報を特定するための登録番号と関連付けて、申込情報ＤＢ１４に記憶するステップと、
（ｎ）電子銀行サーバ１０において、本人確認情報または前記登録番号を含む申込者特定情報と関連付けられた、口座開設専用の携帯電話用アプリケーションソフトウェアのダウンロード用ＷｅｂページのＵＲＬ（Uniform resource locator）情報を含むＷｅｂページを生成し、生成されたＷｅｂページを携帯電話２０に提供するステップと、
（ｏ）携帯電話２０における前記ＵＲＬの指定によって、携帯電話２０において、申込者特定情報を引き継いだアプリケーションソフトウェアをダウンロードするステップと、
（e’）携帯電話２０において、ダウンロードされたアプリケーションソフトウェアにより、携帯電話２０に搭載されたカメラにより撮影された本人確認書類のデジタルデータを、申込者特定情報とともに電子銀行サーバ１０に送信するステップと、
（f’）電子銀行サーバ１０において、本人確認書類のデジタルデータに基づくテキストデータを、申込者特定情報により特定される登録番号と関連付けて、申込情報ＤＢ１４に記憶するステップと、
（g’）電子銀行サーバ１０において、登録番号と関連付けられた本人確認書類のデジタルデータに基づくテキストデータと、登録番号と関連付けられた本人確認情報との確認の後に、本人確認情報を、新規の口座情報として、口座データベースに記憶するステップと、を備える。【００９０】
第２の方法では、本人確認情報をＰＣ３０にて実行し、申込者特定情報と、口座開設専用の携帯電話用アプリケーションソフトウェアのダウンロード用ＷｅｂページのＵＲＬ（Uniform resource locator）情報とを含む情報コードである２次元コードを生成し、ＰＣ３０にＷｅｂコンテンツとして提供している。その後、この２次元コードを読み取った携帯電話２０により、本人確認書類のデジタルデータの作成、電子銀行サーバ１０への送信が行われる。【００９１】
これに対して、第３の方法では、本人確認情報を携帯電話２０の表示装置の画面上に表示されたＷｅｂコンテンツに入力し、電子サーバ１０が、入力された本人確認情報を、登録番号と関連付けて申込情報ＤＢ１４に記憶する（上記（ｌ）、（ｍ）、図６のステップ６０１〜６０３）。その後、申込者特定情報と関連付けられた、口座開設専用の携帯電話用アプリケーションソフトウェアのダウンロード用ＷｅｂページのＵＲＬ（Uniform resource locator）情報を含むＷｅｂページを、携帯電話２０の表示装置の画面上に表示する（上記（ｎ）、図６のステップ６０４、６０５）。ユーザが携帯電話２０を操作してこのＵＲＬを指定することで、口座開設専用の携帯電話用アプリケーションソフトウェアがダウンロードされる。ここで、ダウンロードされた口座開設専用の携帯電話用アプリケーションソフトウェアには、申込者特定情報が引き継がれ、携帯電話２０はこの申込者特定情報を取得できる（上記（ｏ）、図６のステップ６０６）。したがって、これ以降の処理（上記（e’）、（ｆ’）、（ｇ’））は、第１の方法の（ｅ）、（ｆ）、（ｇ）と同様となる。【００９２】
本発明は、以上の実施の形態に限定されることなく、特許請求の範囲に記載された発明の範囲内で、種々の変更が可能であり、それらも本発明の範囲内に包含されるものであることは言うまでもない。【００９３】
たとえば、前記実施の形態においては、電子銀行サーバ１０のデータ変換処理部１３が、本人確認書類のデジタルデータに基づくテキストデータを作成しているが、これに限定されるものではなく、携帯電話２０がダウンロードする口座開設専用の携帯電話用アプリケーションソフトウェアによって、携帯電話２０において、本人確認書類のデジタルデータに基づくテキストデータが作成されても良い。この場合には、携帯電話２０から電子銀行サーバ１０に対して、本人確認書類のデジタルデータに基づくテキストデータが送信される。電子銀行サーバ１０は、受信したテキストデータを登録番号に関連付けて申込ＤＢ１４に記憶し、また、当該テキストデータと、申込ＤＢ１４の、当該登録番号に関連付けられた本人確認情報とを比較（照合）する。
【図面の簡単な説明】
【００９４】
【図１】図１は、本発明の口座開設方法を実行するシステムの一例を示す図である。
【図２】図２は、本発明の口座開設方法を実行するシステムを構成する電子銀行サーバの一例を示す図である。
【図３】図３は、本発明の口座開設方法の一例を示すフローチャートである。
【図４】図４は、本発明の口座開設方法の一例を示すフローチャートである。
【図５】図５は、本発明の口座開設方法の他の一例を示すフローチャートである。
【図６】図６は、本発明の口座開設方法の他の一例を示すフローチャートである。
【図７】図７（Ａ）〜（Ｃ）は、図３および図４の処理の実行の過程で、携帯電話２０の表示装置の画面上に表示された画像の例を示す図である。
【図８】図８（Ａ）〜（Ｃ）は、図３および図４の処理の実行の過程で、携帯電話２０の表示装置の画面上に表示された画像の例を示す図である。
【符号の説明】
【００９５】
１０  電子銀行サーバ
１１  通信制御部
１２  口座開設処理部
１３  データ変換処理部
１４  申込情報ＤＢ
１５  口座ＤＢ
１６  決済処理部
１７  ＷｅｂＤＢ
２０  端末（カメラ付携帯電話）
３０  端末（ＰＣ）
３０Ａ  デジタルカメラ
３０Ｂ  スキャナ
４０  通信キャリア
５０  プロバイダ
６０  ネットワーク
７０  本人確認書類
８０  ２次元コード（ＱＲコード（登録商標））
【図１】
2007018233.tif 000002
【図２】
2007018233.tif 000003
【図３】
2007018233.tif 000004
【図４】
2007018233.tif 000005
【図５】
2007018233.tif 000006
【図６】
2007018233.tif 000007
【図７】
2007018233.tif 000008
【図８】
2007018233.tif 000009
【国際調査報告】
2007018233.tif 000010
2007018233.tif 000011
2007018233.tif 000012
2007018233.tif 000013